(57)【要約】  筐体と、筐体内に設けられたソケットライナーとを備える立体コネクタである。該ソケットライナーは、順次重畳して設けられた第１仕切板（１１）、第２仕切板（１２）、第３仕切板（１３）及び第４仕切板（１４）を有する仕切板と、第３仕切板（１３）と第４仕切板（１４）の間に設けられる活電線プラグスリーブ導電片（２１）と、第1仕切板（１１）と第２仕切板（１２）の間に設けられる中性線プラグスリーブ導電片（２２）と、第２仕切板（１２）と第３仕切板（１３）の間に設けられる接地線プラグスリーブ導電片（２３）とを有する。該筐体は、前記活電線プラグスリーブ導電片（２１）のプラグスリーブ、前記中性線プラグスリーブ導電片（２２）のプラグスリーブ及び前記接地線プラグスリーブ導電片（２３）のプラグスリーブに対応する差込口が設けられた少なくとも２つの差込口面（８１２）を有する。コネクタの組み付けが便利となり、品質が大幅に改善される。【選択図】図４
2019517706.tif 000002
【特許請求の範囲】
【請求項１】
筐体と、筐体内に設けられるソケットライナーとを備える立体コネクタであって、
前記ソケットライナーは、
順次重畳して設けられる第1仕切板（１１）、第２仕切板（１２）、第３仕切板（１３）及び第４仕切板（１４）を有する仕切板と、
第３仕切板（１３）と第４仕切板（１４）の間に設けられる活電線プラグスリーブ導電片（２１）と、
第1仕切板（１１）と第２仕切板（１２）との間に設けられる中性線プラグスリーブ導電片（２２）と、
第２仕切板（１２）と第３仕切板（１３）との間に設けられる接地線プラグスリーブ導電片（２３）と、を有し、
前記筐体は、前記活電線プラグスリーブ導電片（２１）のプラグスリーブ、前記中性線プラグスリーブ導電片（２２）のプラグスリーブ及び前記接地線プラグスリーブ導電片（２３）のプラグスリーブと対応する差込口が設けられる、少なくとも２つの差込口面（８１２）を有する、ことを特徴とする立体コネクタ。
【請求項２】
前記第1仕切板（１１）と第４仕切板（１４）との間に、互いに係合する係止アームが設けられ、かつ、前記係止アームが互いに係合した場合、各仕切板と各プラグスリーブ導電片とは圧迫し合う状態になることを特徴とする請求項１に記載の立体コネクタ。
【請求項３】
前記第1仕切板（１１）における係止アームの自由端には、係止溝（１１１１）が設けられ、前記第４仕切板（１４）における係止アームの自由端には、前記係止溝（１１１１）と係合すべき係止突起（１４１）が設けられ、
又は、前記第４仕切板（１４）における係止アームの自由端には、係止溝（１１１１）が設けられ、第１仕切板（１１）における係止アームの自由端には、前記係止溝（１１１１）と係合すべき係止突起（１４１）が設けられていることを特徴とする請求項２に記載の立体コネクタ。
【請求項４】
前記係止アームは第２仕切板（１２）の外側及び第３仕切板（１３）の外側を取り囲むか、又は、前記係止アームは第２仕切板（１２）及び第３仕切板（１３）を通過することを特徴とする請求項２に記載の立体コネクタ。
【請求項５】
前記第1仕切板（１１）又は前記第４仕切板（１４）には、前記仕切板を固定するための第１位置決め柱（３１）が設けられ、第１位置決め柱（３１）が設けられた前記仕切板を除いた他の仕切板には、前記第１位置決め柱（３１）と配合するための第１位置決め孔（３２）が設けられていることを特徴とする請求項１〜４の何れかに記載の立体コネクタ。
【請求項６】
前記第１位置決め柱（３１）の自由端には、ボルト（３４）を締め付けるためのねじ孔（３１１）が設けられ、且つ、前記第１位置決め柱（３１）の自由端が存在する仕切板には、ボルトを受け入れるための座繰り孔（３３）が設けられていることを特徴とする請求項５に記載の立体コネクタ。
【請求項７】
前記第1仕切板（１１）の第２仕切板（１２）とは反対側の一面には、回路基板を受け入れるための固定ホルダが設けられるか、または、第４仕切板（１４）の第３仕切板（１３）とは反対側の一面に回路基板を受け入れるための固定ホルダが設けられることを特徴とする請求項１に記載の立体コネクタ。
【請求項８】
前記回路基板は、ＵＳＢ回路基板（６１）及び/又は強電スイッチ回路基板（６２）を含み、前記固定ホルダは、強電スイッチ回路基板（６２）とＵＳＢ回路基板（６１）とを隔離するための隔離リブ（１１２）を含むことを特徴とする請求項７に記載の立体コネクタ。
【請求項９】
前記筐体の側面には、導線ハーネスを貫通するための１つの導線通過孔（８１３２）が設けられ、ソケットライナーにおける導線通過孔（８１３２）に対応する一側面には、内方へ凹む配線溝（４）が設けられていることを特徴とする請求項１又は８に記載の立体コネクタ。
【請求項１０】
前記活電線プラグスリーブ導電片（２１）には第１配線ピン（２１１）が設けられ、中性線プラグスリーブ導電片（２２）には第２配線ピン（２２１）が設けられ、かつ、前記第１配線ピン（２１１）と第２配線ピン（２２１）は、共に配線溝（４）内に設けられていることを特徴とする請求項９に記載の立体コネクタ。
【請求項１１】
ソケットライナーの導線通過孔（８１３２）に対向する一側には、第１圧着部（１４２）が設けられ、筐体内壁で導線通過孔（８１３２）の下方部位には、第２圧着部（８１３１）が設けられ、かつ、ソケットライナーが筐体に組付けられた場合、第１圧着部（１４２）と第２圧着部（８１３１）とは緊密に接触することを特徴とする請求項９または１０に記載の立体コネクタ。
【請求項１２】
前記第１圧着部（１４２）と第２圧着部（８１３１）とが緊密に接触した場合、第１圧着部（１４２）と第２圧着部（８１３１）との対向面の間には、導線ハーネスを導線通過孔（８１３２）から通過させるように、導線ハーネスを通すためのホールが形成されていることを特徴とする請求項１１に記載の立体コネクタ。
【請求項１３】
前記接地線プラグスリーブ導電片（２３）には、第４仕切板（１４）側へ折り曲げられる第３配線ピン（２３１）が設けられ、かつ、前記第３配線ピン（２３１）が第４仕切板（１４）を貫通するか、又は、前記接地線プラグスリーブ導電片（２３）には、前記第１仕切板（１１）側へ折り曲げられる第３配線ピン（２３１）が設けられ、かつ、前記第３配線ピン（２３１）は第１仕切板（１１）を貫通することを特徴とする請求項１に記載の立体コネクタ。
【請求項１４】
前記筐体は、一端側が開放された下部箱体（８１）と、該一端側を閉塞可能な上部蓋体（８２）とを含み、かつ、前記導線通過孔（８１３２）は下部箱体（８１）の１つの側面に設けられていることを特徴とする請求項９に記載の立体コネクタ。
【請求項１５】
前記下部箱体（８１）の上部蓋体（８２）と対向する底面は支持面（８１１）であり、これに対し、下部箱体（８１）の、導線通過孔（８１３２）が設けられた１つの側面を除いた他の３つの側面は、何れも前記差込口が設けられる差込口面（８１２）である、ことを特徴とする請求項１４に記載の立体コネクタ。
【請求項１６】
前記ソケットライナーと、差込口の付いた筐体内壁との間には、プラグスリーブ開口を保護するための保護扉モジュール７が設けられていることを特徴とする請求項１に記載の立体コネクタ。
【請求項１７】
前記ソケットライナーの筐体内壁に対向する一面には、保護扉モジュール（７）を位置決めるために保護扉モジュール（７）と係着すべき係止柱（９）が設けられていることを特徴とする請求項１５に記載の立体コネクタ。
【請求項１８】
ソケットライナーが筐体内に組付けられた場合、前記ＵＳＢ回路基板（６１）と強電スイッチ回路基板（６２）は上部蓋体（８２）と対面し、かつ、上部蓋体（８２）には、対応するＵＳＢポート及びスイッチ組付スロットが設けられていることを特徴とする請求項１４に記載の立体コネクタ。
【請求項１９】
隔離リブ（１１２）の上部蓋体（８２）に対面する一側には、上部蓋体（８２）側へ延びる係止部（１１２１）が設けられ、かつ、上部蓋体（８２）の対向内面には、係止部（１１２１）と嵌合するためのブラインドホールが設けられていることを特徴とする請求項１４に記載の立体コネクタ。
【請求項２０】
回路基板が組付けられた第1仕切板（１１）または第４仕切板（１４）には、さらに、ＵＳＢ回路基板（６１）と強電スイッチ回路基板（６２）とを電気的に絶縁するための絶縁板（６３）が設けられていることを特徴とする請求項８に記載の立体コネクタ。
【請求項２１】
交互に重畳して設けられる各仕切板と各導電片との間には、各導電片を各仕切板に位置決めるための位置決め機構が設けられていることを特徴とする請求項１に記載の立体コネクタ。
【請求項２２】
前記位置決め機構は、仕切板に設けられた第２位置決め柱（９１）と、活電線プラグスリーブ導電片（２１）、中性線プラグスリーブ導電片（２２）および接地線プラグスリーブ導電片（２３）のそれぞれに設けられた第２位置決め孔（９２）とを含み、前記第２位置決め孔（９２）と前記第２位置決め柱（９１）は、一対一に対応して嵌合することを特徴とする請求項２１に記載の立体コネクタ。
【発明の詳細な説明】
【技術分野】
【０００１】
本願発明は、電気機器の分野に関し、具体的には立体コネクタに関するものである。
【背景技術】
【０００２】
立体コネクタは、ルービックキューブ（Ｒｕｂｉｋ’ｓＣｕｂｅ）型コネクタとも呼ばれる。この立体コネクタの各側面に設けられる差込口は、殆どの場合、各側面の差込口の導電片を個別に作製し、その後各側面のプラグスリーブモジュールに組み付けて形成されるものである。該プラグスリーブモジュール同士は、軟質線または他の材料によるはんだ付けで、電気的に導通されている。かかる作製では、組付けをすべき部品の点数があまりにも多く、作製方式が複雑であり、なお且つその内部における同一極性を有する導電片材同士は、電線や銅ワイヤを介して溶接されるため、トンネル半田、はんだ付け不完全などの半田不良が発生する不具合がある。
【０００３】
特許文献１には、プラグと、内部コアモジュールと、その内部コアモジュールの外側を取り囲む立体ハウジングとを備える立体多面型コネクタユニットおよび組付コネクタが開示されている。該内部コアモジュールは、活電線一体化弾性片と、Ａ室枠と、接地線一体化弾性片と、Ｂ室枠と、中性線一体化弾性片と、側面弾性片端子とを備え、前記接地線一体化弾性片はＡ室枠とＢ室枠の間に挟設され、前記活電線一体化弾性片は該Ａ室枠に設けられ、前記接地線一体化弾性片はＢ室枠に取り付けられている。該多面コネクタユニットは、上記ルービックキューブ型コネクタにおける同一極性を有する導電片材同士が電線や銅ワイヤを介するはんだ付け時に発生しやすいトンネル半田やはんだ付け不完全といった不具合を解消した。しかしながら、このような構成の多面型コネクタユニットは、その取り付け時、内部コアモジュールにおける一体化弾性片が室枠から脱離しやすいため、取り付けが困難となる上、上記立体ハウジングが三つの部分から組み合わせられるものなので、多くの組立工程が必要となる。
【先行技術文献】
【特許文献】
【０００４】
【特許文献１】中国実用新案第２０１４２０８６８３３４．６号明細書
【発明の概要】
【発明が解決しようとする課題】
【０００５】
以上に鑑み、本発明は、組み立て工程が少なく、容易に組み付け可能な立体コネクタを提供することを目的とする。
【課題を解決するための手段】
【０００６】
以上の目的を実現するため、本発明には次の技術方法が利用される。
本発明に係る立体コネクタは、筐体と、筐体内に設けられるソケットライナーとを備える立体コネクタであって、
前記ソケットライナーは、
順次重畳して設けられる第1仕切板、第２仕切板、第３仕切板及び第４仕切板を有する仕切板と、
第３仕切板と第４仕切板の間に設けられる活電線プラグスリーブ導電片と、
第1仕切板と第２仕切板の間に設けられる中性線プラグスリーブ導電片と、
第２仕切板と第３仕切板の間に設けられる接地線プラグスリーブ導電片と、を備え、
前記筐体は、前記活電線プラグスリーブ導電片のプラグスリーブ、前記中性線プラグスリーブ導電片のプラグスリーブ及び前記接地線プラグスリーブ導電片のプラグスリーブに対応する差込口が設けられる少なくとも２つの差込口面を有する。
【０００７】
好ましくは、第1仕切板と第４仕切板の間には、互いに係止された係止アームが設けられ、かつ、前記係止アームが互いに係止された場合、各仕切板と各プラグスリーブ導電片とは圧迫し合う状態になる。
【０００８】
更に好ましくは、前記第1仕切板における係止アームの自由端には係止溝が設けられ、これに対して、前記第４仕切板における係止アームの自由端には、前記係止溝と係止すべき係止突起が設けられ、またはこれに代えて、前記第４仕切板における係止アームの自由端には係止溝が設けられ、第１仕切板における係止アームの自由端には前記係止溝と係止すべき係止突起が設けられている。
【０００９】
更に好ましくは、前記係止アームは第２仕切板の外側及び第３仕切板の外周を取り囲むするか、又は、前記係止アームは第２仕切板及び第３仕切板を通過する。
【００１０】
更に好ましくは、前記第1仕切板又は第４仕切板には、前記仕切板を固定するための第１位置決め柱が設けられ、かつ、第１位置決め柱が設けられた前記仕切板を除いた別の仕切板には、前記第１位置決め柱と嵌合するための第１位置決め孔が設けられている。
【００１１】
更に好ましくは、前記位置決め柱の自由端には、ボルトを締めるためのねじ孔が設けられ、かつ、前記位置決め柱の自由端が所在する仕切板には、ボルトを受け入れるための座繰り孔が設けられている。
【００１２】
更に好ましくは、前記第1仕切板の第２仕切板とは反対側の一面には回路基板が設けられるか、又は第４仕切板の第３仕切板とは反対側の一面には回路基板が設けられている。これらの回路基板は、ＵＳＢ回路基板及び/または強電スイッチ回路基板を含むものである。
【００１３】
更に好ましくは、回路基板が設けられた仕切板の表面には、強電スイッチ回路基板とＵＳＢ回路基板とを隔離するための隔離リブが設けられている。
【００１４】
更に好ましくは、前記筐体の側面には導線ハーネスを通過させるための一つの導線通過孔が設けられ、ソケットライナーにおける導線通過孔に対応する一側面には、内方へ凹む配線溝が設けられている。
【００１５】
更に好ましくは、前記活電線プラグスリーブ導電片には第１配線ピンが設けられ、中性線プラグスリーブ導電片には第２配線ピンが設けられ、なお且つ、前記第１配線ピンと第２配線ピンは、共に前記配線溝内に設けられている。
【００１６】
更に好ましくは、ソケットライナーの導線通過孔に対向する一側には、第１圧着部が設けられ、筐体内壁において導線通過孔の下方には第２圧着部が設けられ、なお且つ、ソケットライナーが筐体に組み付けられる場合、第１圧着部と第２圧着部とは緊密に接触する。
【００１７】
更に好ましくは、第１圧着部と第２圧着部とが緊密に接触した場合、第１圧着部と第２圧着部との対向面の間には、導導線ハーネスを導線通過孔より通過させるように、線ハーネスを通すためのホールが形成される。
【００１８】
更に好ましくは、前記接地線プラグスリーブ導電片には、接地線プラグスリーブ導電片に対して折り曲げられた第３配線ピンが設けられ、なおかつ、第３仕切板及び第４仕切板を貫通して第４仕切板の外部に露出するか、または第３配線ピンは第１仕切板及び第２仕切板を貫通して第１仕切板の外部に露出する。
【００１９】
更に好ましくは、前記筐体は、一端側が開放された下部箱体、及び開放側を閉塞する上部蓋体とを有し、なお且つ、前記導線通過孔は下部箱体の一つの側面に設けられている。
【００２０】
更に好ましくは、前記下部箱体の上部蓋体に対向する底面は支持面であり、下部箱体の導線通過孔が設けられた側面以外の他の３つの側面が何れも差込口面であり、なお且つ、これらの差込口面には、前記差込口が設けられている。
【００２１】
更に好ましくは、前記ソケットライナーと、差込口の付いた筐体内壁との間には、プラグスリーブ開口を保護するための保護扉モジュール７が設けられている。
【００２２】
更に好ましくは、前記ソケットライナーの筐体内壁に対向する一面には、保護扉モジュールを位置決めるために保護扉モジュールと係着すべき係止柱が設けられている。
【００２３】
更に好ましくは、ソケットライナーが筐体内に組付けられる場合、前記ＵＳＢ回路基板及び強電スイッチ回路基板は上部蓋体に対向するようになり、尚且つ、上部蓋体には、対応するＵＳＢポート及びスイッチ取付スロットが設けられている。
【００２４】
更に好ましくは、隔離リブの上部蓋体側には、上部蓋体側に向けて延びる係止部が設けられ、一方では、上部蓋体の対向する内面には、この係止部と係着するためのブラインドホールが設けられている。
【００２５】
更に好ましくは、回路基板が組付けられる第1仕切板または第４仕切板には、ＵＳＢ回路基板と強電スイッチ回路基板とを電気的に絶縁させるための絶縁板も設けられている。
【００２６】
更に好ましくは、交替に重畳して設けられた各仕切板と各導電片との間には、各導電片を各仕切板に位置決めさせるための位置決め機構が設けられている。
【００２７】
更に好ましくは、仕切板には第２位置決め柱が設けられ、活電線プラグスリーブ導電片、中性線プラグスリーブ導電片および接地線プラグスリーブ導電片の各々には第２位置決め孔が設けられ、前記第２位置決め孔と前記第２位置決め柱とは、一対一に対応して嵌合する。
【発明の効果】
【００２８】
従来の技術と比べ、本発明は次の効果を有する。本発明では全てのプラグスリーブ導電片が各仕切板間に挟まれているので、立体コネクタの組付け時、各プラグスリーブ導電片と各仕切板とを順次重畳して設け、第１の仕切板と第４の仕切板との間の係合構造を係着させるよう圧着させることにより、完全なソケットライナーを形成させ、しかる後、ソケットライナーを筐体内に挿着すれば、組付けを完了することができるようになり、組付けの難易度を低減すると共に、組付けの効率を向上させた。次に、配線溝と圧着部を仕切板に設けることにより、各プラグスリーブ導電片の配線ピンには導線ハーネスが半田付けられた後、配線が容易になり、なお且つ、筐体の導線通過孔及び圧着部は直接対向するので、導線ハーネスの敷設長さを短くし、立体コネクタにおける内部空間の利用率を向上させると共に、立体コネクタ全体の寸法の減少が可能となる。
【図面の簡単な説明】
【００２９】
【図１】第1実施形態に係るソケットライナーを示す組付図である。
【図２】第1実施形態に係るソケットライナーを示す分解図である。
【図３】第1実施形態の第1仕切板及び回路基板を示す分解図である。
【図４】第1実施形態の筐体及びソケットライナーを示す分解図である。
【図５】第１実施形態の下部箱体を示す軸測投影図である。
【図６】第２実施形態の筐体及びソケットライナーを示す分解図である。
【図７】第３実施形態のソケットライナーを示す分解図である。
【図８】第４実施形態のソケットライナーを示す分解図である。
【発明を実施するための形態】
【００３０】
以下、図面および具体的な実施形態を参照しながら、本発明を詳しく説明する。後述する実施形態は、例示のみを目的としてここに提示するものであり、本発明の範囲を限定することは意図していない。
【００３１】
第1実施形態
【００３２】
立体コネクタである。図1及び図2に示すように、筐体内部に設けられたソケットライナーは、仕切板と、プラグスリーブ導電片とを備える。該仕切板は、順次設けられた第1仕切板１１、第２仕切板１２、第３仕切板１３及び第４仕切板１４を有する。該プラグスリーブ導電片は、第1仕切板１１と第２仕切板１２の間に設けられる活電線プラグスリーブ導電片２１と、第２仕切板１２と第３仕切板１３の間に設けられる接地線プラグスリーブ導電片２３と、第３仕切板１３と第４仕切板１４の間に設けられる中性線プラグスリーブ導電片２２とを有する。各仕切板と各プラグスリーブ導電片とが互い重畳して圧着された後、堅牢な固定組立体であるソケットライナーを形成し易くするため、両端の第1仕切板１１と第４仕切板１４との間には係合構造が設けられている。該係合構造は、第1仕切板１１の縁に設けられ第４仕切板１４に向けて伸び出しており、係止溝１１１１が設けられた係止アーム１１１を有する。これに対して、第４仕切板１４には、係止アーム１１１における係止溝１１１１と対応し係合すべき係止突起１４１が設けられている。言うまでもなく、係止アームは第４仕切板１４に設けられてもよく、係止突起１４１は第1仕切板１１に設けられてもよいと解されるべきである。また、この第1実施形態において、係合構造による係合をより安定化させるため、係止アームは第４仕切板１４に非直線状に３つ設けられており、ソケットライナーに組み付けた後、係止アームはそれぞれ第２仕切板１２および第３仕切板１３の外側を取り囲むようになる。言うまでもなく、係止アームは、第２仕切板１２及び第３仕切板１３を通過した後、第４仕切板１４の係止突起１４に係合してもよい。
【００３３】
プラグスリーブ導電片を組付ける場合、各導電片と各仕切板との組付け位置をより精確に決めるために、図7に示した仕切板と導電片との視野角のように、各仕切板と導電片との間には位置決め機構が設けられている。ここの位置決め機構は、第1仕切板１１の活電線スリーブ導電部２１に対面する側面に設けられた第２位置決め柱９１、第２仕切板１２の中性線スリーブ導電部２２に対面する側面に設けられた第２位置決め柱９１、および第３仕切板１３の接地線スリーブ導電部２３に対面する側面に設けられた第２位置決め柱９１を含み、活電線スリーブ導電部２１、中性線スリーブ導電部２２、接地線スリーブ導電部２３には第２位置決め柱９１と嵌合すべき第２位置決め孔９２がそれぞれ設けられている。さらに、導電片を各仕切板に精確に組付けるため、各仕切板には、少なくとも２つの第２位置決め柱９１が設けられている。もちろん、第２位置決め柱９１は、第４仕切板１４、第３仕切板１３、第２仕切板１２の、中性線プラグスリーブ導電片２２、接地線プラグスリーブ導電片２３、活電線プラグスリーブ導電片２１に対面する一面、または各仕切板の上下両面に同時に設けれてもよい。
【００３４】
ソケットライナーの空間利用率と内部導線の合理化を向上させるため、第２仕切板１２、第３仕切板１３および第４仕切板１４における同一側面には、それぞれ内方へ凹む配線溝４が形成され、なお且つ、第４仕切板１４の該側面には配線溝４を跨ぐ第１圧着部１４２が設けられている。図２に示すように、活電線プラグスリーブ導電片２１には、第１配線ピン２１１が設けられ、中性線プラグスリーブ導電片２２には、第２配線ピン２２１が設けられている。後述するソケットライナーを組み付ける場合、導線を便利に設置するため、第１配線ピン２１１と第２配線ピン２２１の両方は配線溝４内に設けられている。なお、接地線プラグスリーブ導電片２３には、第３配線ピン２３１が設けられ、かつ、該第３配線ピン２３１は接地線プラグスリーブ導電片２３に対して折り曲げ状に形成される。ソケットライナーが形成された後、第３配線ピン２３１は、第３仕切板１３及び第４仕切板１４を通過し、第４仕切板１４の外部に露出する。
【００３５】
図3に示すように、ソケットライナーの機能を向上させるために、ソケットライナーには、更にＵＳＢ回路基板６１及び強電スイッチ回路基板６２が設けられている。この第１実施形態では、第1仕切板１１の第２仕切板１２とは反対側の一面には、回路基板を受け入れるための固定ホルダが延設され、または、第４仕切板１４の第３仕切板１３とは反対側の一面には、回路基板を受け入れるための固定ホルダが延設される。第1仕切板１１の第２仕切板１２とは反対側の一面には、ＵＳＢ回路基板６１及び強電スイッチ回路基板６２が設けられると共に、この一面には、強電スイッチ回路基板６２とＵＳＢ回路基板６１とを隔離するための隔離リブ１１２が設けられている。もちろん、ＵＳＢ回路基板６１及び強電スイッチ回路基板６２は、第４仕切板１４の第３仕切板１３とは反対側の表面に設けられた場合、隔離リブ１１２も相応的に第４仕切板１４の該表面に設けられる。その場合、配線溝４は第1仕切板１１、第２仕切板１２及び第３仕切板１３に設けられ、なお且つ、第１圧着部１４２は、第1仕切板１１における、配線溝４を跨ぐ位置に設けられる。なお、配線の敷設を容易にするため、隔離リブ１１２には、さらに第１圧着部１４２に対応する配線位置規制溝５が設けられている。
【００３６】
図４は、立体コネクタの筐体及びソケットライナーを示す分解図である。筐体は、開放側を有した下部箱体８１と、該開放側を閉塞する上部蓋体８２とを備える。組み付けをより便利にするため、上部蓋体８２には、ＵＳＢ回路基板６１及び強電スイッチ回路基板６２に対応するため、ＵＳＢ構造及び立体コネクタを開閉可能なスイッチが設けられている。下部箱体８１の上部蓋体８２と対向する底面は支持面８１１であり、該支持面８１１の機能を考慮し、立体コネクタの体格を抑えるため、支持面８１１には差込口が設けられていない。下部箱体８１の複数の側面のうちの一側面は、導線通過孔８１３２が設けられた導線通過面８１３である。該導線通過孔８１３２は、ソケットライナー内の導線の引き出しの利便を図るため、第１圧着部１４２と対応する。さらに、図５に示すように、下部箱体の導線通過面８１３の内側に設けられた第２圧着部８１３１は、仕切板に設けられた第１圧着部１４２とがセットを構成し、なお且つ、第１圧着部１４２と第２圧着部８１３１との間には、導線ハーネスを通すためのホールが設けられている。かかる構成は、ソケットライナー中の配線長さを短縮できると共に、立体コネクタの体積を低減することができる。下部箱体８１の残りの他の３つの側面は、何れも差込口が設けられた差込口面８１２である。立体コネクタの使用上の安全性を向上させるために、ソケットライナーと差込口面８１２との間には保護扉モジュール７が設けられている。また、保護扉モジュール７の組み付けを容易にするため、ソケットライナーの側面には、係止柱９が設けられている。組付け時、まず、係止柱９を用いてソケットライナーと保護扉モジュール７との組み付けを完了させ、次に、保護扉モジュール７が組み付けられたソケットライナー全体を下部箱体８１内に装着しながら、下部箱体８１中の線通過面８１３とソケットライナーの第１圧着部１４２とを対応させ、そして、ソケットライナーに設けられた係止部１１２１を上部蓋体８２の内側のブラインドホール（図示せず）に直接係合させるよう上部蓋体８２を閉め、容易な組付けを完成させる。言うまでもなく、この第１実施形態では、前記筐体は別の形に形成されてもよく、例えば、両端側が開放された中間体および中間体の開放された両端側を閉塞する端蓋からなる筐体、即ち、図4における下部箱体８１を2部分に分割してもよい。ここでは詳しい説明を省略する。
【００３７】
第２実施形態
【００３８】
図５は、立体コネクタの筐体とソケットライナーとの分解図を示す。第１実施形態との相違点としては、第1仕切板１１と回路基板との間には更に絶縁板６３が設けられている点にある。即ち、前記ソケットライナーには、関連規格を満たすため、回路基板と活電線プラグスリーブ導電片２１との電気的クリアランス、または回路基板と中性線プラグスリーブ導電片２２との電気的クリアランスを増加させるよう、ＵＳＢ回路基板６１と強電スイッチ回路基板６２とを電気的に絶縁させるための絶縁板６３が設けられている。
【００３９】
第３実施形態
【００４０】
図６はソケットライナーの分解図を示す。第１実施形態との相違点としては、第４仕切板１４と第1仕切板１１の間には係合構造が設けられていないことにある。係合構造に代えて、第1仕切板１１の第２仕切板１２に対面する側面には位置決め柱３１が設けられ、かつ、第２仕切板１２、第３仕切板１３には前記位置決め柱３１と嵌合すべき位置決め柱３２が設けられ、そして、位置決め柱３１の端面にはボルト３４を締め付けるためのねじ孔３１１が設けられ、第４仕切板１４にはねじ孔３１１に対応する座繰り孔３３が設けられている。言うまでもなく、第４仕切板１４の第３仕切板１３に対面する側面には位置決め柱３１が設けられ（図示せず）、なお且つ、第２仕切板１２、第３仕切板１３には前記位置決め柱３１と嵌合すべき位置決め孔３２が設けられ、位置決め柱３１の端面にはボルト３４を締め付けるためのねじ孔３１１が設けられ、第１仕切板１１にはねじ孔３１１に対応する座繰り孔３３が設けられることも考えられる。ソケットライナーを組付ける場合、第1仕切板１１における位置決め柱３１を、第２仕切板１２の位置決め孔及び第３仕切板１３の位置決め孔を順次貫通させ、第４仕切板１４に設けられた座繰り孔３３に当接させる。位置決め柱３１の端面にはねじ孔３１１が設けられていることので、ボルト３４をねじ孔３１１に締め付けることにより、ソケットライナーの固定装着を実現できる。
【００４１】
第４実施形態
【００４２】
図７はソケットライナーの分解図を示す。この第４実施形態と第１実施形態との差異も、ソケットライナーにある。また、この第４実施形態において、第１、第３実施形態を参照し、係合構造と位置決め柱３１の両方が利用されている。第４仕切板１４に対面する第1仕切板１１の縁には、第４仕切板１４へ延びる係止アーム１１１が設けられ、かつ、該係止アーム１１１は第1仕切板１１の３つの角に設けられ、残りの１つの角には、座繰り孔３３が設けられている。係止溝１１１１には、係止アーム１１１が設けられる。第４仕切板１４の対応する３つの角には、係止アーム１１１の係止溝１１１１に対応し係合すべき係止突起１４１が設けられている。さらに、第４仕切板１４の残りの１つの角には、該座繰り孔３３に対応する位置決め柱３１が設けられている。同様に、係止アーム１１１の数は、１個であっても、２個であってもよい。位置決め柱３１の数は、２個であっても、３個であってもよい。組み付け時、各仕切板が互いに重畳し、且つ位置決め柱３１が座繰り孔３３に対応するようになると、ボルト３４を位置決め柱３１のねじ孔３１１に締め付けさせ、係止アーム１１１の係止溝１１１１と係止突起１４１と係着させ、よってソケットライナーの組み付けを実現させる。ここでは、各仕切板と導電片との間には位置決め機構が設けられていないが、必要に応じて、第４実施形態を基礎とし、各仕切板と導電片との間に第１実施形態に記載されている位置決め機構を設置してもよい。
【００４３】
以上の開示は本発明の好ましい実施形態であり、本発明の保護範囲は以上の実施形態に限定されるものではなく、本発明の思想に属する技術案は全て本発明の保護範囲に属するものである。当業者にとっては、本発明の精神から逸脱しない範囲内で種々の変更や改良をすることができるが、これらすべての変更や改良は本発明の保護範囲内にあるとみなされるべきである。
【符号の説明】
【００４４】
１１：第1仕切板
１１１：係止アーム
１１１１：係止溝
１１２：隔離リブ
１１２１：係止部
１２：第２仕切板
１３：第３仕切板
１４：第４仕切板
１４１：係止突起
１４２：第１圧着部
１４３：係止柱
２１：活電線プラグスリーブ導電片
２１１：第１配線ピン
２２：中性線プラグスリーブ導電片
２２１：第２配線ピン
２３：接地線プラグスリーブ導電片
２３１：第３配線ピン
３１：第１位置決め柱
３１１：ねじ孔
３２：第１位置決め孔
３３：座繰り孔
３４：ボルト
４：配線溝
５：配線位置規制溝
６１：ＵＳＢ回路基板
６２：強電スイッチ回路基板
６３：絶縁板
７：保護扉モジュール
８１：下部箱体
８１１：支持面
８１２：差込口面
８１３：導線通過面
８１３１：第２圧着部
８１３２：導線通過孔
８２：上部蓋体
９１：第２位置決め柱
９２：第２位置決め孔
【図１】
2019517706.tif 000003
【図２】
2019517706.tif 000004
【図３】
2019517706.tif 000005
【図４】
2019517706.tif 000006
【図５】
2019517706.tif 000007
【図６】
2019517706.tif 000008
【図７】
2019517706.tif 000009
【図８】
2019517706.tif 000010
【手続補正書】
【提出日】平成30年9月19日(2018.9.19)
【手続補正１】
【補正対象書類名】明細書
【補正対象項目名】全文
【補正方法】変更
【補正の内容】
【発明の詳細な説明】
【技術分野】
【０００１】  本願発明は、電気機器の分野に関し、具体的には立体コネクタに関するものである。
【背景技術】
【０００２】  立体コネクタは、ルービックキューブ（Ｒｕｂｉｋ’ｓＣｕｂｅ）型コネクタとも呼ばれる。この立体コネクタの各側面に設けられる差込口は、殆どの場合、各側面の差込口の導電片を個別に作製し、その後各側面のプラグスリーブモジュールに組み付けて形成されるものである。該プラグスリーブモジュール同士は、軟質線または他の材料によるはんだ付けで、電気的に導通されている。かかる作製では、組付けをすべき部品の点数があまりにも多く、作製方式が複雑であり、なお且つその内部における同一極性を有する導電片材同士は、電線や銅ワイヤを介して溶接されるため、トンネル半田、はんだ付け不完全などの半田不良が発生する不具合がある。【０００３】  特許文献１には、プラグと、内部コアモジュールと、その内部コアモジュールの外側を取り囲む立体ハウジングとを備える立体多面型コネクタユニットおよび組付コネクタが開示されている。該内部コアモジュールは、活電線一体化弾性片と、Ａ室枠と、接地線一体化弾性片と、Ｂ室枠と、中性線一体化弾性片と、側面弾性片端子とを備え、前記接地線一体化弾性片はＡ室枠とＢ室枠の間に挟設され、前記活電線一体化弾性片は該Ａ室枠に設けられ、前記中性線一体化弾性片はＢ室枠に取り付けられている。該多面コネクタユニットは、上記ルービックキューブ型コネクタにおける同一極性を有する導電片材同士が電線や銅ワイヤを介するはんだ付け時に発生しやすいトンネル半田やはんだ付け不完全といった不具合を解消した。しかしながら、このような構成の多面型コネクタユニットは、その取り付け時、内部コアモジュールにおける一体化弾性片が室枠から脱離しやすいため、取り付けが困難となる上、上記立体ハウジングが三つの部分から組み合わせられるものなので、多くの組立工程が必要となる。
【先行技術文献】
【特許文献】
【０００４】
【特許文献１】中国実用新案第２０１４２０８６８３３４．６号明細書
【発明の概要】
【発明が解決しようとする課題】
【０００５】  以上に鑑み、本発明は、組み立て工程が少なく、容易に組み付け可能な立体コネクタを提供することを目的とする。
【課題を解決するための手段】
【０００６】  以上の目的を実現するため、本発明には次の技術方法が利用される。  本発明に係る立体コネクタは、筐体と、筐体内に設けられるソケットライナーとを備える立体コネクタであって、  前記ソケットライナーは、  順次重畳して設けられる第1仕切板、第２仕切板、第３仕切板及び第４仕切板を有する仕切板と、  第３仕切板と第４仕切板の間に設けられる活電線プラグスリーブ導電片と、  第1仕切板と第２仕切板の間に設けられる中性線プラグスリーブ導電片と、  第２仕切板と第３仕切板の間に設けられる接地線プラグスリーブ導電片と、を備え、  前記筐体は、前記活電線プラグスリーブ導電片のプラグスリーブ、前記中性線プラグスリーブ導電片のプラグスリーブ及び前記接地線プラグスリーブ導電片のプラグスリーブに対応する差込口が設けられる少なくとも２つの差込口面を有する。【０００７】 幾つかの実施例において、前記活電線プラグスリーブ導電片、前記中性線プラグスリーブ導電片及び前記接地線プラグスリーブ導電片は、互いに平行している。【０００８】  幾つかの実施例において、前記第1仕切板と前記第２仕切板との間には、前記ソケットライナーの各仕切板と各プラグスリーブ導電片とが互い重畳し圧着した後、堅牢な固定組立体を形成するように係合構造が設けられている。【０００９】 幾つかの実施例において、前記係合構造は前記第1仕切板と第４仕切板の間に設けられ、互いに係止された係止アームを有し、かつ、前記係止アームが互いに係止された場合、各仕切板と各プラグスリーブ導電片とは圧迫し合う状態になる。及び／又は、前記係合構造は、前記第1仕切板又は第４仕切板に設けられ、前記仕切板を固定するための第１位置決め柱、及び第１位置決め柱が設けられた前記仕切板を除いた別の仕切板に設けられ、前記第１位置決め柱と嵌合するための第１位置決め孔を有する。【００１０】 幾つかの実施例において、前記第1仕切板における係止アームの自由端には係止溝が設けられ、これに対して、前記第４仕切板における係止アームの自由端には、前記係止溝と係止すべき係止突起が設けられ、またはこれに代えて、前記第４仕切板における係止アームの自由端には係止溝が設けられ、第１仕切板における係止アームの自由端には前記係止溝と係止すべき係止突起が設けられている。【００１１】 幾つかの実施例において、前記係止アームは第２仕切板の外側及び第３仕切板の外周を取り囲むするか、又は、前記係止アームは第２仕切板及び第３仕切板を通過する。【００１２】 幾つかの実施例において、前記第１位置決め柱の自由端には、ボルトを締めるためのねじ孔が設けられ、かつ、前記第１位置決め柱の自由端が所在する仕切板には、ボルトを受け入れるための座繰り孔が設けられている。【００１３】 幾つかの実施例において、前記第1仕切板の第２仕切板とは反対側の一面には回路基板を受け入れるための固定ホルダが延設され、又は第４仕切板の第３仕切板とは反対側の一面には回路基板を受け入れるための固定ホルダが延設され、前記回路基板は、ＵＳＢ回路基板及び/または強電スイッチ回路基板を含むものである。【００１４】 幾つかの実施例において、前記固定ホルダは、強電スイッチ回路基板とＵＳＢ回路基板とを隔離するための隔離リブを有し、及び／又は、回路基板が組付けられる第1仕切板又は第４仕切板には、ＵＳＢ回路基板と強電スイッチ回路基板とを隔離ための絶縁板が設けられている。【００１５】 幾つかの実施例において、前記筐体の側面には導線ハーネスを通過させるための一つの導線通過孔が設けられ、ソケットライナーにおける導線通過孔に対応する一側面には、内方へ凹む配線溝が設けられている。【００１６】 幾つかの実施例において、前記活電線プラグスリーブ導電片には第１配線ピンが設けられ、中性線プラグスリーブ導電片には第２配線ピンが設けられ、なお且つ、前記第１配線ピンと第２配線ピンは、共に前記配線溝内に設けられている。【００１７】 幾つかの実施例において、ソケットライナーの導線通過孔に対向する一側には、第１圧着部が設けられ、筐体内壁において導線通過孔の下方には第２圧着部が設けられ、なお且つ、ソケットライナーが筐体に組み付けられる場合、第１圧着部と第２圧着部とは緊密に接触する。【００１８】 幾つかの実施例において、第１圧着部と第２圧着部とが緊密に接触した場合、第１圧着部と第２圧着部との対向面の間には、導導線ハーネスを導線通過孔より通過させるように、線ハーネスを通すためのホールが形成される。【００１９】 幾つかの実施例において、前記接地線プラグスリーブ導電片には、接地線プラグスリーブ導電片に対して折り曲げられた第３配線ピンが設けられ、なおかつ、第３仕切板及び第４仕切板を貫通して第４仕切板の外部に露出するか、または第３配線ピンは第１仕切板及び第２仕切板を貫通して第１仕切板の外部に露出する。【００２０】 幾つかの実施例において、前記ソケットライナーと、差込口の付いた筐体内壁との間には、プラグスリーブ開口を保護するための保護扉モジュール７が設けられている。【００２１】 幾つかの実施例において、前記ソケットライナーの筐体内壁に対向する一面には、保護扉モジュールを位置決めるために保護扉モジュールと係着すべき係止柱が設けられている。【００２２】 幾つかの実施例において、隔離リブの上部蓋体側には、上部蓋体側に向けて延びる係止部が設けられ、一方では、上部蓋体の対向する内面には、この係止部と係着するためのブラインドホールが設けられている。【００２３】 幾つかの実施例において、交替に重畳して設けられた各仕切板と各導電片との間には、各導電片を各仕切板に位置決めさせるための位置決め機構が設けられている。【００２４】 幾つかの実施例において、前記位置決め機構は、仕切板に設けられた第２位置決め柱が設けられ、及びそれぞれ活電線プラグスリーブ導電片、中性線プラグスリーブ導電片および接地線プラグスリーブ導電片に設けられた第２位置決め孔を有し、前記第２位置決め孔と前記第２位置決め柱とは、一対一に対応して嵌合する。【００２５】 本発明の他の一様態では、立体コネクタは、筐体と、筐体内に設けられるソケットライナーとを備える立体コネクタであって、前記ソケットライナーは、順次重畳して設けられる第1仕切板、第２仕切板、第３仕切板及び第４仕切板を有する仕切板、及び活電線プラグスリーブ導電片、中性線プラグスリーブ導電片、接地線プラグスリーブ導電片を備え、前記活電線プラグスリーブ導電片は第１仕切板と第２仕��板の間に設けられ、前記接地線プラグスリーブ導電片は第２仕切板と第３仕切板の間に設けられ、前記中性線プラグスリーブ導電片は第３仕切板と第４仕切板の間に設けられ、前記筐体は、前記活電線プラグスリーブ導電片のプラグスリーブ、前記中性線プラグスリーブ導電片のプラグスリーブ及び前記接地線プラグスリーブ導電片のプラグスリーブに対応する差込口が設けられた少なくとも２つの差込口面を有する。
【発明の効果】
【００２６】  従来の技術と比べ、本発明は次の効果を有する。本発明では全てのプラグスリーブ導電片が各仕切板間に挟まれているので、立体コネクタの組付け時、各プラグスリーブ導電片と各仕切板とを順次重畳して設け、第１の仕切板と第４の仕切板との間の係合構造を係着させるよう圧着させることにより、完全なソケットライナーを形成させ、しかる後、ソケットライナーを筐体内に挿着すれば、組付けを完了することができるようになり、組付けの難易度を低減すると共に、組付けの効率を向上させた。次に、配線溝と圧着部を仕切板に設けることにより、各プラグスリーブ導電片の配線ピンには導線ハーネスが半田付けられた後、配線が容易になり、なお且つ、筐体の導線通過孔及び圧着部は直接対向するので、導線ハーネスの敷設長さを短くし、立体コネクタにおける内部空間の利用率を向上させると共に、立体コネクタ全体の寸法の減少が可能となる。
【図面の簡単な説明】
【００２７】
【図１】第1実施形態に係るソケットライナーを示す組付図である。
【図２】第1実施形態に係るソケットライナーを示す分解図である。
【図３】第1実施形態の第1仕切板及び回路基板を示す分解図である。
【図４】第1実施形態の筐体及びソケットライナーを示す分解図である。
【図５】第１実施形態の下部箱体を示す軸測投影図である。
【図６】第２実施形態の筐体及びソケットライナーを示す分解図である。
【図７】第３実施形態のソケットライナーを示す分解図である。
【図８】第４実施形態のソケットライナーを示す分解図である。
【発明を実施するための形態】
【００２８】  以下、図面および具体的な実施形態を参照しながら、本発明を詳しく説明する。後述する実施形態は、例示のみを目的としてここに提示するものであり、本発明の範囲を限定することは意図していない。
【００２９】  第1実施形態
【００３０】  図1及び図2に示すように、立体コネクタは、筐体内部に設けられ、仕切板とプラグスリーブ導電片を有するソケットライナーを備える。該仕切板は、順次設けられた第1仕切板１１、第２仕切板１２、第３仕切板１３及び第４仕切板１４を有する。該プラグスリーブ導電片は、第1仕切板１１と第２仕切板１２の間に設けられる活電線プラグスリーブ導電片２１と、第２仕切板１２と第３仕切板１３の間に設けられる接地線プラグスリーブ導電片２３と、第３仕切板１３と第４仕切板１４の間に設けられる中性線プラグスリーブ導電片２２とを有する。言うまでもなく、幾つかの実施形態において、中性線プラグスリーブ導電片２２は第1仕切板１１と第２仕切板１２の間、接地線プラグスリーブ導電片２３は第２仕切板１２と第３仕切板１３の間、活電線プラグスリーブ導電片２１は第３仕切板１３と第４仕切板１４の間に設けられても良い。本開示は、各プラグスリーブ導電片の位置を限定せず、活電線、接地線、中性線の順番を満たせば良い。なお、本開示は、上述した４つの仕切板の具体的な配置位置を限定せず、「第1」、「第２」、「第３」、「第４」との正方向に配置しても、「第４」、「第３」、「第２」、「第１」との反方向に配置しても良い。
【００３１】  前記活電線プラグスリーブ導電片２１と、前記中性線プラグスリーブ導電片２２、前記接地線プラグスリーブ導電片２３とは互いに平行しており、活電線プラグスリーブ導電片と、中性線プラグスリーブ導電片と接地線プラグスリーブ導電片とが交互に分布する構成に比べると、前記立体コネクタは構造が大分簡略化された。
【００３２】  両端の第1仕切板１１と第４仕切板１４との間には、ソケットライナーの各仕切板と各プラグスリーブ導電片とが互い重畳し圧着した後、堅牢な固定組立体を形成するように係合構造が設けられている。該係合構造は、第1仕切板１１の縁に設けられ第４仕切板１４に向けて伸び出しており、係止溝１１１１が設けられた係止アーム１１１を有する。これに対して、第４仕切板１４には、係止アーム１１１における係止溝１１１１と対応し係合すべき係止突起１４１が設けられている。言うまでもなく、係止アームは第４仕切板１４に設けられてもよく、係止突起１４１は第1仕切板１１に設けられてもよいと解されるべきである。また、この第1実施形態において、係合構造による係合をより安定化させるため、係止アームは第４仕切板１４に非直線状に３つ設けられており、ソケットライナーに組み付けた後、係止アームはそれぞれ第２仕切板１２および第３仕切板１３の外側を取り囲むようになる。言うまでもなく、係止アームは、第２仕切板１２及び第３仕切板１３を通過した後、第４仕切板１４の係止突起１４に係合してもよい。
【００３３】  プラグスリーブ導電片を組付ける場合、各導電片と各仕切板との組付け位置をより精確に決めるために、図7に示した仕切板と導電片との視野角のように、各仕切板と導電片との間には位置決め機構が設けられている。ここの位置決め機構は、第1仕切板１１の活電線スリーブ導電部２１に対面する側面に設けられた第２位置決め柱９１、第２仕切板１２の中性線スリーブ導電部２２に対面する側面に設けられた第２位置決め柱９１、および第３仕切板１３の接地線スリーブ導電部２３に対面する側面に設けられた第２位置決め柱９１を含み、活電線スリーブ導電部２１、中性線スリーブ導電部２２、接地線スリーブ導電部２３には第２位置決め柱９１と嵌合すべき第２位置決め孔９２がそれぞれ設けられている。さらに、導電片を各仕切板に精確に組付けるため、各仕切板には、少なくとも２つの第２位置決め柱９１が設けられている。もちろん、第２位置決め柱９１は、第４仕切板１４、第３仕切板１３、第２仕切板１２の、中性線プラグスリーブ導電片２２、接地線プラグスリーブ導電片２３、活電線プラグスリーブ導電片２１に対面する一面、または各仕切板の上下両面に同時に設けてもよい。
【００３４】  ソケットライナーの空間利用率と内部導線の合理化を向上させるため、第２仕切板１２、第３仕切板１３および第４仕切板１４における同一側面には、それぞれ内方へ凹む配線溝４が形成され、なお且つ、第４仕切板１４の該側面には配線溝４を跨ぐ第１圧着部１４２が設けられている。図２に示すように、活電線プラグスリーブ導電片２１には、第１配線ピン２１１が設けられ、中性線プラグスリーブ導電片２２には、第２配線ピン２２１が設けられている。後述するソケットライナーを組み付ける場合、導線を便利に設置するため、第１配線ピン２１１と第２配線ピン２２１の両方は配線溝４内に設けられている。なお、接地線プラグスリーブ導電片２３には、第３配線ピン２３１が設けられ、かつ、該第３配線ピン２３１は接地線プラグスリーブ導電片２３に対して折り曲げ状に形成される。ソケットライナーが形成された後、第３配線ピン２３１は、第３仕切板１３及び第４仕切板１４を通過し、第４仕切板１４の外部に露出する。
【００３５】  図3に示すように、ソケットライナーの機能を向上させるために、ソケットライナーには、更にＵＳＢ回路基板６１及び強電スイッチ回路基板６２が設けられている。この第１実施形態では、第1仕切板１１の第２仕切板１２とは反対側の一面には、回路基板を受け入れるための固定ホルダが延設され、または、第４仕切板１４の第３仕切板１３とは反対側の一面には、回路基板を受け入れるための固定ホルダが延設される。第1仕切板１１の第２仕切板１２とは反対側の一面には、ＵＳＢ回路基板６１及び強電スイッチ回路基板６２が設けられると共に、この一面には、強電スイッチ回路基板６２とＵＳＢ回路基板６１とを隔離するための隔離リブ１１２が設けられている。もちろん、ＵＳＢ回路基板６１及び強電スイッチ回路基板６２は、第４仕切板１４の第３仕切板１３とは反対側の表面に設けられた場合、隔離リブ１１２も相応的に第４仕切板１４の該表面に設けられる。その場合、配線溝４は第1仕切板１１、第２仕切板１２及び第３仕切板１３に設けられ、なお且つ、第１圧着部１４２は、第1仕切板１１における、配線溝４を跨ぐ位置に設けられる。なお、配線の敷設を容易にするため、隔離リブ１１２には、さらに第１圧着部１４２に対応する配線位置規制溝５が設けられている。
【００３６】  図４は、立体コネクタの筐体及びソケットライナーを示す分解図である。筐体は、開放側を有した下部箱体８１と、該開放側を閉塞する上部蓋体８２とを備える。組み付けをより便利にするため、上部蓋体８２には、ＵＳＢ回路基板６１及び強電スイッチ回路基板６２に対応するため、ＵＳＢ構造及び立体コネクタを開閉可能なスイッチが設けられている。下部箱体８１の上部蓋体８２と対向する底面は支持面８１１であり、該支持面８１１の機能を考慮し、立体コネクタの体格を抑えるため、支持面８１１には差込口が設けられていない。下部箱体８１の複数の側面のうちの一側面は、導線通過孔８１３２が設けられた導線通過面８１３である。該導線通過孔８１３２は、ソケットライナー内の導線の引き出しの利便を図るため、第１圧着部１４２と対応する。さらに、図５に示すように、下部箱体の導線通過面８１３の内側に設けられた第２圧着部８１３１は、仕切板に設けられた第１圧着部１４２とがセットを構成し、なお且つ、第１圧着部１４２と第２圧着部８１３１との間には、導線ハーネスを通すためのホールが設けられている。かかる構成は、ソケットライナー中の配線長さを短縮できると共に、立体コネクタの体積を低減することができる。下部箱体８１の残りの他の３つの側面は、何れも差込口が設けられた差込口面８１２である。立体コネクタの使用上の安全性を向上させるために、ソケットライナーと差込口面８１２との間には保護扉モジュール７が設けられている。また、保護扉モジュール７の組み付けを容易にするため、ソケットライナーの側面には、係止柱１４３が設けられている。組付け時、まず、係止柱１４３を用いてソケットライナーと保護扉モジュール７との組み付けを完了させ、次に、保護扉モジュール７が組み付けられたソケットライナー全体を下部箱体８１内に装着しながら、下部箱体８１中の線通過面８１３とソケットライナーの第１圧着部１４２とを対応させ、そして、ソケットライナーに設けられた係止部１１２１を上部蓋体８２の内側のブラインドホール（図示せず）に直接係合させるよう上部蓋体８２を閉め、容易な組付けを完成させる。言うまでもなく、この第１実施形態では、前記筐体は別の形に形成されてもよく、例えば、両端側が開放された中間体および中間体の開放された両端側を閉塞する端蓋からなる筐体、即ち、図4における下部箱体８１を2部分に分割してもよい。ここでは詳しい説明を省略する。
【００３７】  第２実施形態
【００３８】  図６は、立体コネクタの筐体とソケットライナーとの分解図を示す。第１実施形態との相違点としては、第1仕切板１１と回路基板との間には更に絶縁板６３が設けられている点にある。即ち、前記ソケットライナーには、関連規格を満たすため、回路基板と活電線プラグスリーブ導電片２１との電気的クリアランス、または回路基板と中性線プラグスリーブ導電片２２との電気的クリアランスを増加させるよう、ＵＳＢ回路基板６１と強電スイッチ回路基板６２とを電気的に絶縁させるための絶縁板６３が設けられている。
【００３９】  第３実施形態
【００４０】  図７はソケットライナーの分解図を示す。第１実施形態との相違点としては、第４仕切板１４と第1仕切板１１の間には係合構造が設けられていないことにある。係合構造に代えて、第1仕切板１１の第２仕切板１２に対面する側面には位置決め柱３１が設けられ、かつ、第２仕切板１２、第３仕切板１３には前記位置決め柱３１と嵌合すべき位置決め柱３２が設けられ、そして、位置決め柱３１の端面にはボルト３４を締め付けるためのねじ孔３１１が設けられ、第４仕切板１４にはねじ孔３１１に対応する座繰り孔３３が設けられている。言うまでもなく、第４仕切板１４の第３仕切板１３に対面する側面には位置決め柱３１が設けられ（図示せず）、なお且つ、第２仕切板１２、第３仕切板１３には前記位置決め柱３１と嵌合すべき位置決め孔３２が設けられ、位置決め柱３１の端面にはボルト３４を締め付けるためのねじ孔３１１が設けられ、第１仕切板１１にはねじ孔３１１に対応する座繰り孔３３が設けられることも考えられる。ソケットライナーを組付ける場合、第1仕切板１１における位置決め柱３１を、第２仕切板１２の位置決め孔及び第３仕切板１３の位置決め孔を順次貫通させ、第４仕切板１４に設けられた座繰り孔３３に当接させる。位置決め柱３１の端面にはねじ孔３１１が設けられていることので、ボルト３４をねじ孔３１１に締め付けることにより、ソケットライナーの固定装着を実現できる。
【００４１】  第４実施形態
【００４２】  図８はソケットライナーの分解図を示す。この第４実施形態と第１実施形態との差異も、ソケットライナーにある。また、この第４実施形態において、第１、第３実施形態を参照し、係合構造と位置決め柱３１の両方が利用されている。第４仕切板１４に対面する第1仕切板１１の縁には、第４仕切板１４へ延びる係止アーム１１１が設けられ、かつ、該係止アーム１１１は第1仕切板１１の３つの角に設けられ、残りの１つの角には、座繰り孔３３が設けられている。係止溝１１１１には、係止アーム１１１が設けられる。第４仕切板１４の対応する３つの角には、係止アーム１１１の係止溝１１１１に対応し係合すべき係止突起１４１が設けられている。さらに、第４仕切板１４の残りの１つの角には、該座繰り孔３３に対応する位置決め柱３１が設けられている。同様に、係止アーム１１１の数は、１個であっても、２個であってもよい。位置決め柱３１の数は、２個であっても、３個であってもよい。組み付け時、各仕切板が互いに重畳し、且つ位置決め柱３１が座繰り孔３３に対応するようになると、ボルト３４を位置決め柱３１のねじ孔３１１に締め付けさせ、係止アーム１１１の係止溝１１１１と係止突起１４１と係着させ、よってソケットライナーの組み付けを実現させる。ここでは、各仕切板と導電片との間には位置決め機構が設けられていないが、必要に応じて、第４実施形態を基礎とし、各仕切板と導電片との間に第１実施形態に記載されている位置決め機構を設置してもよい。
【００４３】  以上の開示は本発明の好ましい実施形態であり、本発明の保護範囲は以上の実施形態に限定されるものではなく、本発明の思想に属する技術案は全て本発明の保護範囲に属するものである。当業者にとっては、本発明の精神から逸脱しない範囲内で種々の変更や改良をすることができるが、これらすべての変更や改良は本発明の保護範囲内にあるとみなされるべきである。
【符号の説明】
【００４４】  １１：第1仕切板  １１１：係止アーム  １１１１：係止溝  １１２：隔離リブ  １１２１：係止部  １２：第２仕切板  １３：第３仕切板  １４：第４仕切板  １４１：係止突起  １４２：第１圧着部  １４３：係止柱  ２１：活電線プラグスリーブ導電片  ２１１：第１配線ピン  ２２：中性線プラグスリーブ導電片  ２２１：第２配線ピン  ２３：接地線プラグスリーブ導電片  ２３１：第３配線ピン  ３１：第１位置決め柱  ３１１：ねじ孔  ３２：第１位置決め孔  ３３：座繰り孔  ３４：ボルト  ４：配線溝  ５：配線位置規制溝  ６１：ＵＳＢ回路基板  ６２：強電スイッチ回路基板  ６３：絶縁板  ７：保護扉モジュール  ８１：下部箱体  ８１１：支持面  ８１２：差込口面  ８１３：導線通過面  ８１３１：第２圧着部  ８１３２：導線通過孔  ８２：上部蓋体  ９１：第２位置決め柱  ９２：第２位置決め孔
【手続補正２】
【補正対象書類名】特許請求の範囲
【補正対象項目名】全文
【補正方法】変更
【補正の内容】
【特許請求の範囲】
【請求項１】
筐体と、筐体内に設けられるソケットライナーとを備える立体コネクタであって、  前記ソケットライナーは、  順次重畳して設けられる第1仕切板（１１）、第２仕切板（１２）、第３仕切板（１３）及び第４仕切板（１４）を有する仕切板と、  第３仕切板（１３）と第４仕切板（１４）の間に設けられる活電線プラグスリーブ導電片（２１）と、  第1仕切板（１１）と第２仕切板（１２）との間に設けられる中性線プラグスリーブ導電片（２２）と、  第２仕切板（１２）と第３仕切板（１３）との間に設けられる接地線プラグスリーブ導電片（２３）と、を有し、  前記筐体は、前記活電線プラグスリーブ導電片（２１）のプラグスリーブ、前記中性線プラグスリーブ導電片（２２）のプラグスリーブ及び前記接地線プラグスリーブ導電片（２３）のプラグスリーブと対応する差込口が設けられる、少なくとも２つの差込口面（８１２）を有する、ことを特徴とする立体コネクタ。
【請求項２】
前記活電線プラグスリーブ導電片（２１）と、前記中性線プラグスリーブ導電片（２２）と、前記接地線プラグスリーブ導電片（２３）とは、互いに平行している、請求項１に記載の立体コネクタ。
【請求項３】
前記第1仕切板（１１）と前記第４仕切板（１４）との間には、前記ソケットライナーの各仕切板と各プラグスリーブ導電片とが互い重畳し圧着した後、堅牢な固定組立体を形成するように係合構造が設けられている、請求項１に記載の立体コネクタ。
【請求項４】
前記係合構造は、前記第1仕切板（１１）と第４仕切板（１４）との間設けられ、互いに係合する係止アームを有し、かつ、前記係止アームが互いに係合した場合、各仕切板と各プラグスリーブ導電片とは圧迫し合う状態になり、及び／又は、  前記係合構造は、前記第1仕切板（１１）又は第４仕切板（１４）に設けられ、前記仕切板を固定するための第１位置決め柱（３１）、及び第１位置決め柱（３１）が設けられた前記仕切板を除いた別の仕切板に設けられ、前記第１位置決め柱（３１）と嵌合するための第１位置決め孔（３２）を有する、ことを特徴とする請求項３に記載の立体コネクタ。
【請求項５】
前記第1仕切板（１１）における係止アームの自由端には、係止溝（１１１１）が設けられ、前記第４仕切板（１４）における係止アームの自由端には、前記係止溝（１１１１）と係合すべき係止突起（１４１）が設けられ、  又は、前記第４仕切板（１４）における係止アームの自由端には、係止溝（１１１１）が設けられ、第１仕切板（１１）における係止アームの自由端には、前記係止溝（１１１１）と係合すべき係止突起（１４１）が設けられていることを特徴とする請求項４に記載の立体コネクタ。
【請求項６】
前記係止アームは第２仕切板（１２）の外側及び第３仕切板（１３）の外側を取り囲むか、又は、前記係止アームは第２仕切板（１２）及び第３仕切板（１３）を通過することを特徴とする請求項４に記載の立体コネクタ。
【請求項７】
前記第１位置決め柱（３１）の自由端には、ボルト（３４）を締め付けるためのねじ孔（３１１）が設けられ、且つ、前記第１位置決め柱（３１）の自由端が存在する仕切板には、ボルトを受け入れるための座繰り孔（３３）が設けられていることを特徴とする請求項４に記載の立体コネクタ。
【請求項８】
前記第1仕切板（１１）の第２仕切板（１２）とは反対側の一面には、回路基板を受け入れるための固定ホルダが設けられるか、または、第４仕切板（１４）の第３仕切板（１３）とは反対側の一面に回路基板を受け入れるための固定ホルダが設けられることを特徴とする請求項１に記載の立体コネクタ。
【請求項９】
前記回路基板は、ＵＳＢ回路基板（６１）及び/又は強電スイッチ回路基板（６２）を含み、  前記固定ホルダは、強電スイッチ回路基板（６２）とＵＳＢ回路基板（６１）とを隔離するための隔離リブ（１１２）を有し、及び／又は、回路基板が組付けられる第1仕切板（１１）又は第４仕切板（１４）には、ＵＳＢ回路基板（６１）と強電スイッチ回路基板（６２）とを隔離ための絶縁板（６３）が設けられている、ことを特徴とする請求項７に記載の立体コネクタ。
【請求項１０】
前記筐体の側面には、導線ハーネスを貫通するための１つの導線通過孔（８１３２）が設けられ、ソケットライナーにおける導線通過孔（８１３２）に対応する一側面には、内方へ凹む配線溝（４）が設けられていることを特徴とする請求項１に記載の立体コネクタ。
【請求項１１】
前記活電線プラグスリーブ導電片（２１）には第１配線ピン（２１１）が設けられ、中性線プラグスリーブ導電片（２２）には第２配線ピン（２２１）が設けられ、かつ、前記第１配線ピン（２１１）と第２配線ピン（２２１）は、共に配線溝（４）内に設けられていることを特徴とする請求項１０に記載の立体コネクタ。
【請求項１２】
ソケットライナーの導線通過孔（８１３２）に対向する一側には、第１圧着部（１４２）が設けられ、筐体内壁で導線通過孔（８１３２）の下方部位には、第２圧着部（８１３１）が設けられ、かつ、ソケットライナーが筐体に組付けられた場合、第１圧着部（１４２）と第２圧着部（８１３１）とは緊密に接触することを特徴とする請求項１０に記載の立体コネクタ。
【請求項１３】
前記第１圧着部（１４２）と第２圧着部（８１３１）とが緊密に接触した場合、第１圧着部（１４２）と第２圧着部（８１３１）との対向面の間には、導線ハーネスを導線通過孔（８１３２）から通過させるように、導線ハーネスを通すためのホールが形成されていることを特徴とする請求項１２に記載の立体コネクタ。
【請求項１４】
前記接地線プラグスリーブ導電片（２３）には、第４仕切板（１４）側へ折り曲げられる第３配線ピン（２３１）が設けられ、かつ、前記第３配線ピン（２３１）が第４仕切板（１４）を貫通するか、又は、前記接地線プラグスリーブ導電片（２３）には、前記第１仕切板（１１）側へ折り曲げられる第３配線ピン（２３１）が設けられ、かつ、前記第３配線ピン（２３１）は第１仕切板（１１）を貫通することを特徴とする請求項１に記載の立体コネクタ。
【請求項１５】
前記ソケットライナーと、差込口の付いた筐体内壁との間には、プラグスリーブ開口を保護するための保護扉モジュール７が設けられていることを特徴とする請求項１に記載の立体コネクタ。
【請求項１６】
前記ソケットライナーの筐体内壁に対向する一面には、保護扉モジュール（７）を位置決めるために保護扉モジュール（７）と係着すべき係止柱（９）が設けられていることを特徴とする請求項１５に記載の立体コネクタ。
【請求項１７】
隔離リブ（１１２）の上部蓋体（８２）に対面する一側には、上部蓋体（８２）側へ延びる係止部（１１２１）が設けられ、かつ、上部蓋体（８２）の対向内面には、係止部（１１２１）と嵌合するためのブラインドホールが設けられていることを特徴とする請求項９に記載の立体コネクタ。
【請求項１８】
交互に重畳して設けられる各仕切板と各導電片との間には、各導電片を各仕切板に位置決めるための位置決め機構が設けられていることを特徴とする請求項１に記載の立体コネクタ。
【請求項１９】
前記位置決め機構は、仕切板に設けられた第２位置決め柱（９１）と、活電線プラグスリーブ導電片（２１）、中性線プラグスリーブ導電片（２２）および接地線プラグスリーブ導電片（２３）のそれぞれに設けられた第２位置決め孔（９２）とを含み、前記第２位置決め孔（９２）と前記第２位置決め柱（９１）は、一対一に対応して嵌合することを特徴とする請求項１８に記載の立体コネクタ。
【請求項２０】
筐体と、筐体内に設けられるソケットライナーとを備える立体コネクタであって、  前記ソケットライナーは、  順次重畳して設けられる第1仕切板（１１）、第２仕切板（１２）、第３仕切板（１３）及び第４仕切板（１４）を有する仕切板を有する仕切板、及び  活電線プラグスリーブ導電片（２１）、中性線プラグスリーブ導電片（２２）と接地線プラグスリーブ導電片（２３）を有し、  前記活電線プラグスリーブ導電片（２１）は、第１仕切板（１１）と第２仕切板（１２）の間に設けられ、  前記接地線プラグスリーブ導電片（２３）は、第２仕切板（１２）と第３仕切板（１３）の間に設けられ、  前記中性線プラグスリーブ導電片（２２）は、第３仕切板（１３）と第４仕切板（１４）の間に設けられ、  前記筐体は、前記活電線プラグスリーブ導電片のプラグスリーブ、前記中性線プラグスリーブ導電片のプラグスリーブ及び前記接地線プラグスリーブ導電片のプラグスリーブに対応する差込口が設けられた少なくとも２つの差込口面を有する、立体コネクタ。
【国際調査報告】
2019517706.tif 000011
2019517706.tif 000012
2019517706.tif 000013
2019517706.tif 000014